(57)【要約】【課題】    高周波振動の圧電セラミック振動素子を備えた霧発生装置により、熱を発さずに最短距離で直接噴流を眼部に作用させる、眼部保健器の提供。【解決手段】    本体上の作用側に眼部周囲を覆うカバー体を設け、該カバー体は通孔を介し、眼部に最も近い状態で直線的に霧発生装置と対接し、該霧発生装置は、高周波振動の圧電セラミック振動素子を利用して直接発射板を作動させ、発射板の霧発射側は直接前記通孔に向かい、注入側は導水部が形成する水膜表面に接して微量の励起を起こさせ、該導水部は、水容器から水液を導引し、熱を発さずに最短距離で直接霧化粒子の噴流を眼部に作用させる。【選択図】    図２
0003104861.tif 000002
【実用新案登録請求の範囲】
【請求項１】
眼部に対し霧の噴流を発射する保健器であって、主に、本体と、眼部周囲を覆うカバー体と、霧発生装置とを含み、該カバー体は通孔を備え、通孔は前記霧発生装置に対接し、該霧発生装置は、圧電セラミック振動素子で作動する発射板を備え、該発射板の霧発射側は前記カバー体側に対向させ、発射板に供給する必要な水液の注入側は導水部の端口に接し、該導水部の別の一端が水容器に導通していることを特徴とする眼部保健器。
【請求項２】
発射板の霧発射側と前記カバー体の間に、さらに反応空間を設け、該反応空間において光波作用を発生するLED紫外線発生器を設けたことによる請求項1に記載の眼部保健器。
【請求項３】
該水容器にさらに分岐した2本の水路を設け、個別に２つの発射板に水液を提供する構成としたことを特徴ととする請求項１に記載の眼部保健器。
【請求項４】
該振動素子の相対する側縁部に、さらに２つの対等な形態の発射板を設置することを特徴とする請求項1に記載の眼部保健器。
【請求項５】
該振動素子と発射板間を、さらにクリップを利用し挟持方式で組み立てた構成としたことを特徴とする請求項１に記載の眼部保健器。
【請求項６】
該振動素子と発射板間を、粘着剤または金属溶接の方式で接合した構成としたことを特徴とする請求項１に記載の眼部保健器。
【請求項７】
該導水部と水容器間の連結部に、さらに接合管を設け組立てた構成としたことを特徴とする請求項１に記載の眼部保健器。
【請求項８】
該水容器と本体間の組立てが、着脱自在の嵌置方式である構成としたことを特徴とする請求項１に記載の眼部保健器。
【請求項９】
該発射板に設けた発射孔が、線状を呈した線槽である構成としたことを特徴とする請求項１に記載の眼部保健器。
【請求項１０】
電力を得るためにコンピュータ本体に接続することができるPS２またはUSBコネクタを設けた構成としたことを特徴とする請求項１に記載の眼部保健器。
【請求項１１】
眼部保健器であって、特に、霧を発生し、眼部に対してケアを行なう器材であり、主に、水容器の底部に圧電振動素子を設置し、該水容器上端の開口部に眼部周囲を覆うカバー体を直接設置し、該カバー体は通孔を備え、該水容器内部と相通していることを特徴とする眼部保健器。
【考案の詳細な説明】
【技術分野】
【０００１】
本考案は、眼部保健器であって、特に眼部に薬性作用またはケア効果を提供する保健器で、主に圧電セラミック振動素子により、高周波で発射板を作動し、該発射板により、導引した水膜を機械的振動で微粒の霧状にして発射し、最も近づいた状態で直接この霧化粒子を眼部に噴射し、薬物の構造を完全に維持しながら、低電力で高い効果を発揮し、エネルギー節約と迅速な作業が可能である眼部保健器に関する。
【背景技術】
【０００２】
コンタクトレンズが使用されるようになり、多くの眼鏡使用者に便をもたらしたが、同時に多くの後続的問題が発生している。コンタクトレンズは装着後、水分が持続して蒸発し失われるため、コンタクトレンズ表面が乾燥し、使用者に不快感を与えたり、視界がぼんやりしたりすることがあり、特に、埃の多い場所や乾燥した環境での使用、または目の涙液分泌が元々不足しがちなコンタクトレンズ使用者にとっては大きな問題となっている。
【０００３】
さらに、コンタクトレンズの洗浄と保存、消毒の作業は面倒な日課であり、洗浄液や消毒錠剤などだけでも様々なものがあり、大体以下のように分類することができる。
１．  洗浄液：高い洗浄力があり、優れた殺菌効果を備え、アメーバを含めた微生物を除去できる。
２．  生理食塩水：細菌の発生を防止する。
３．   蛋白除去錠剤：酵素洗浄でコンタクトレンズ表面に付着した蛋白を分解・除去する。
４．  過酸化水素水：殺菌效果があるが、過酸化水素水は空気との接触及び高温下では効果が弱まる。
【０００４】
前述のコンタクトレンズケア製品を見ると、それぞれ効果と特長を備えているが、使用方法には共通の特徴があり、即ち、コンタクトレンズを溶液に浸す方法によりその効果を発揮する点であり、中にはさらに専用の器材を併せて使用しなければ効果が発揮できないものもある。
【０００５】
別に、特許第８３２０４８５４号の「霧化薬物治療用目鼻マスク」と第９１２０７９６５号の「眼部蒸気マッサージ器」等の特許が公開されている。
【０００６】
そのうち、該「眼部蒸気マッサージ器」は、蒸気発生装置を利用し、加熱により水を水蒸気にした後、ノズルから噴射するものである。そのうち、該蒸気発生装置を薬理性液に用いると、熱反応により薬物構造が破壊されてしまうため、薬性のケアへの応用には適していない。
【特許文献１】中華民国特許第９１２０７９６５号
【０００７】
さらに、第８３２０４８５４号のマスクは、基本的にマスク本体から成り、該マスク本体が眼部と鼻を密閉し、スイッチを備えた三通装置を介し入口に通じ、該入口がさらに連結管により霧化噴霧器に接続され、これにより霧化噴霧器が連結管を介して該入口に接続され、さらに、該三通装置のスイッチにより目または鼻へ選択的に導通する。該霧化噴霧器が形成する霧は、該連結管を介し導通される方式であり、該連結管は一定の長さを備えているため、管壁が流体の減衰を形成し、この減衰効果により、水液が凝集され霧の圧送に不利となり、異なる薬剤を交換して使用する場合、前に使用した薬剤が残留し、洗浄も困難である。
【０００８】
また、該マスク本体は眼部と鼻を含んでいるため、眼部だけに使用したい場合にも鼻に不必要な負担がかかり、呼吸も難しく、且つ、使用者が吐き出す気体がマスクを直接汚してしまう。
【０００９】
さらに、該マスク本体は顔の上半部全体を覆うため、眼部のケアのみをしたい場合、マスク本体の面積が大きすぎ、使用する薬剤量も相対的に増加し、無駄を招く。
【特許文献２】中華民国特許第８３２０４８５４号
【考案の開示】
【考案が解決しようとする課題】
【００１０】
本考案は、本体の作用側に眼部周囲を覆うカバー体を設け、該カバー体は通孔を介し、眼部に最も近い状態で、直線的に霧発生装置と対接し、該霧発生装置は、高周波振動の圧電セラミック振動素子を利用して直接発射板を作動させ、発射板の霧発射側は直接通孔に向かい、注入側は導水部が形成する水膜表面に対接して微量の励起を起こさせ、該導水部は、水容器から水液を導引し、熱を発さずに最短距離で直接噴流を眼部に作用させる眼部保健器の提供を主な目的とする。
【００１１】
本考案は、さらに、発射板の霧発射側とカバー体の通孔との間に、さらに殺菌のための反応空間を形成し、該反応空間に紫外線発生器を設けて紫外光を発生させ、相対する霧は微粒子状であるため、水の分子が最大の反応面積を得てオゾンを産出し、効果的に殺菌を行なうことを第二の目的とする。
【００１２】
本考案は、さらに、必要な液体を外から注入する方式を採用することができ、利便性が高く迅速に薬液を交換することが可能であり、水容器の底部に圧電振動素子を設け、上方向の開口部が直接カバー体と相通し、該カバー体の通孔を介し液体の進出が可能であることを第三の目的とする。
【００１３】
本考案は、さらに、該水容器に分岐した2本の水路を設け、それぞれが２つの発射板に同時に作業をさせ、両眼に同時にケアを行なうことができることを第四の目的とする。
【００１４】
本考案は、さらに、該振動素子の相対する２つの側縁部に、2つの対等な質量の発射板を設け、中間の単一の振動素子を介して該発射板を同時に振動させ、単一の振動素子で同時に駆動する操作を形成することを第五の目的とする。
【００１５】
本考案は、さらに、該発射板と振動素子間を、クリップ方式で着脱自在に組立て可能にし、発射板の交換や洗浄の利便性を高め、そのうち、発射板の交換は、異なる開孔形態の発射板で霧の発射量や粒径を選択して使用することを可能にすることを第六の目的とする。
【００１６】
本考案は、さらに、該導水部と水容器間の組立てに接合管を用い、該接合管により、該水容器を取り外し、交換または洗浄が可能であることを第七の目的とする。
【００１７】
本考案は、該水容器と本体間をさらに着脱自在の嵌置方式で組み立てることができ、水液の補給または異なる薬性の薬液の交換における利便性を高めることを第八の目的とする。
【００１８】
本考案は、さらに、該発射板に設けた発射孔を、線状を呈する線槽として設け、且つ、該線槽の隙間を塵埃の粒径より小さくし、且つ、該線槽の長さを塵埃の粒径よりずっと大きくすることで発射孔の詰まりを防止し、不均等な曲線または折れ線、或いは交互に配置した分布方式で、不均等な形態の霧を発射することができることを第九の目的とする。
【００１９】
本考案はさらに、コンピュータ本体に対応して電力を得るPS２またはUSBコネクタを本体に設け、コンピュータの操作と同時に水気を得て目に加湿を行なうことができることを第十の目的とする。
【課題を解決するための手段】
【００２０】
本考案は、本体の作用側に眼部周囲を覆うカバー体を設け、該カバー体は通孔を介し、眼部に最も近い状態で直線的に霧発生装置と対接し、該霧発生装置は、高周波振動の圧電セラミック振動素子を利用して直接発射板を作動させ、発射板の霧発射側は直接通孔に向かい、注入側は導水部が形成する水膜表面に接して微量の励起を起こさせ、該導水部は、水容器から水液を導引し、熱を発さずに最短距離で直接霧化粒子の噴流を眼部に作用させる。
【考案の効果】
【００２１】
本考案は、霧発生端と眼部間に最短距離で噴流を作り、霧化粒子が目に達するときに細かさを確保でき、さらに、本考案は小電力の超音波霧化器により、溶液や水を２〜１０ミクロンの液体微粒子に霧化し、さらに、紫外線LEDの照射により、微量のオゾンを発生させ、消毒殺菌の效果を得、処理後の液体微粒子を直接コンタクトレンズ上に噴射し、洗浄、潤滑、消毒の機能を発揮する。本考案の最良の実施例によれば、全体の消費電力は約0.5ｗと低いため、電池で操作を行なうこともでき、また、本体の体積もゴーグル程度の大きさにまで縮小でき、携帯に便利であるだけでなく、随時場所を選ばず目のケアを行なうことができ、利便性が非常に高い。
【００２２】
本考案の主要な霧発生原理は、小電力の超音波霧化器により、溶液または水を２〜１０ミクロンの粒径の微小な水滴にした後、半導体の紫外線光源（UV  LED）で紫外線照射を行い、それと同時に微量のオゾンが発生し、水の粒径がごく小さいため、最大の表面積を得ることができ、反応時間もごく短く、且つ、必要なオゾン量も約0.01〜0.015 PPMと非常に少なく、紫外線及びオゾン処理を経た後の水の微粒子は、霧化された状態でコンタクトレンズコンタクトレンズ表面上に満遍なく分布され、オゾンの強い酸化能力により殺菌効果が得られ、微生物の消滅と蛋白の分解を行なうことができる。このため、霧化粒子を表面に高速で衝突させることにより、より効果的に汚れを除去することができ、また、目薬を使用するとき、まばたきの反射的動作でその効き目に影響することを防ぐことができる。
【考案を実施するための最良の形態】
【００２３】
以下、本考案の最良の実施例について、図面に基づき詳細に説明する。
【実施例１】
【００２４】
図１に示すように、本考案は主に箱状の本体１と、その作用側に設けたカバー体２を含み、該カバー体２は曲げ性を備え、圧着により顔の眼部周囲表面に密着させることができ、該カバー体２内部に通孔２１を形成し、該通孔２１内部に直接霧発生装置４を設置し、該通孔２１は防塵蓋２０により収納時に塵埃の進入を防ぐことができ、前記本体１の上面両端に収納槽１２を形成し、該収納槽１２の間の適所に制御スイッチ１１を設け、該収納槽１２は電池の設置または合理的に設計した接受対等の儲水ケースの設置に用い、該制御スイッチ１１により、霧発生装置４の作動を制御する設計である。
【００２５】
本考案は、前記本体1内部に設置した圧電セラミック振動素子４１（図２に示す）を利用し、霧発射板４２を直接作動し、該発射板４２の霧発射側が直接最短距離で前記カバー体２に対面しており、また、該発射板４２の水液の注入側に導水部５を設け、その毛細繊維の作用で水容器３内部の水液を導引し、該導水部５と発射板４２の接触界面に水膜が形成され、該発射板４２に微量の励起を起こさせ、効果的に水膜を霧化して噴出させることができる。本考案の実施例の霧の噴流距離は約8-10 cm（無気流の室内での試験における）であり、本考案の設計によれば、該霧発生装置４に最短距離で前記カバー体２に対し霧を噴出させることができ、また、最短距離で直接導水部５が水容器３に通じ、霧の噴流過程における流体の粘滯と、遠端の霧の粒子の凝集を防ぎ、満遍なく霧の粒径を細かく保つことができる。
【００２６】
十分な噴流エネルギーにより、霧の衝突機械エネルギーが形成され、該噴流のエネルギーはスイッチにより制御及び調節が可能である。そのうち、前記霧発生装置４は、圧電セラミック振動素子４１により、200〜300 KHZの高周波振動で発射板４２を作動させ、該高周波作動エネルギーにより、水液を直接霧化し、この霧化の過程において、その高周波振動が高速であるため、発生する熱エネルギーも迅速に水液を代替し相対して冷却され、発生された霧の温度と水容器３内部の水の温度はほぼ同等であるため、熱を生じない作業と見なすことができ、水容器３内部の水液の薬性を変化させることはない。
【実施例２】
【００２７】
本考案の別の実施例は、該発射板４２とカバー体の間に、殺菌を行なうための反応空間４０を設ける。該反応空間４０は、基本的には略球形であり、殺菌の実施は、紫外光により殺菌を行なう方法で、該紫外光にはLED紫外線発生器４１０を採用し紫外線を発生させ、該反応空間４０を通過する霧に紫外光を照射する。半導体技術の進歩に伴い、発光ダイオードについても大きな進展があり、本考案においては、紫外光ダイオードを率先して使用することによりオゾンを発生させる。紫外光LEDランプ（UV LED LAMP）は高効率で、波長の一致性が高く、また体積が小さいために、省電力で小型の携帯型商品の光源とするのに適している。このほか、球形の反応空間の配置により、紫外線が外へ洩れることなく、反応空間内で生成されたオゾンは霧化された噴流により導引されて発射される。紫外光LEDランプの駆動には、50?デューティサイクル（DUTY CYCLE）方式で点滅させ、LEDが温度の上昇の影響による発光効率の低下を減少する。また、微粒の水の直径は2-10μmであるため、単位容積の液体が霧化を経て微粒子となった後、その形体が分解を経て微粒となったため、その体外接触の総和表面積が非常に大きくなり、それにより、約10PPM程度の少量のオゾンで、迅速に満遍なくその反応効果が得られる。
【００２８】
該紫外線発生器４１０は、水容器３の箱体が透明であることを条件に、その光を水容器内部に向けた設計で設置してもよく、水容器内部の水液に、同様に相対する該紫外線発生器４１０の光波作用を受けさせることができる。
【００２９】
また、該水容器３を耐熱機能付のものにすれば、高温の熱水を入れることができ、該高温の熱水は、前記発射板４２作動後、その速度が速いため、形成された霧も同様の温度を有しており、顔部に熱湿布として用いることができ、例えば、蒸気熱湿布として物理医療効果を得ることができる。該水容器３はさらに、加温装置付とすることもできるが、本考案の要旨は携帯に便利であることであるため、その消費電力の程度を考慮し、選択的な設計で室外での利用における利便性を備えていることを主な条件とする。
【００３０】
本考案で用いる霧発生装置４が必要とする消費電力は、約50ｍAの電気エネルギーで精確に動作するため、電源入力端にさらにコンピュータ端子PS２またはUSBに対応するコネクタを設けてもよく、コンピュータを操作するとき、コンピュータ本体の端子を利用して電源を得ることができる。
【００３１】
本考案の圧電セラミック振動素子４１は、単変換方式で圧電片を動かす目的を達することができるため、本考案が採用する回路の効率が以達到η＞85?のレベルに達し、実施において、本考案は3VDC直流電源電圧下で総消費電力が0.5Wの時、霧化量は100.C.C/hの霧化水準に達する。
【００３２】
且つ、本回路は、定電圧（CV）方式であり、霧化器の負荷量と消費電力を追跡・制御することができ、電圧負荷変動率（LOAD REGULATION）を1％以内に維持し、また、電源電圧変動範囲（LINE REGULATION）も±50％以上に達する。
【００３３】
このほか、周波数の定値と出力電力の定値を、抵抗値を変えることで随意に変え、霧化形態を調節することができ、非常に便利である。
【００３４】
本考案はさらに、水液の交換の利便性を高めるため、容器方式を採用し、図３に示すように、容器８の底部の内部または外部に圧電振動素子４２０を設け、そのうち、外部に設けた場合は、該容器８の材質は曲げ性を備えたものとし、効果的に全体の振動を接受し、その内部の水液を振動させて霧化する。また、該振動素子４２０は前述（図２）のような規格のほか、円盤形の軸方向に振幅する円形振動素子４２０（図３に示す）としてもよく、水容器８の内側底面に設置し、水液を注入後、その軸方向振動の機械的エネルギーが水体を介し液面に伝わり、さらに、振動波の液面における干渉を利用し霧を発生する。この設計は、住居内や室内で使用する固定式の霧化に応用でき、容器の上端に最短距離でカバー体２を床面と垂直に設置し、使用者が前かがみになり眼部を下に向けた姿勢でケアを行なうことができる。
【００３５】
前述の円形の振動素子４２０の容器８に対しての設置方式は、同様に外側に設置する方式で該円形の振動素子４２０を該容器８の底部に設置し、電気絶縁加工工程を省略することができる。そのうち、該容器８は曲げ性を備え、その軸方向の振動が同時に該容器８を経由し、内部に入れた水液に伝わり、満遍なく振動させることができる。
【００３６】
図４に示すように、本考案の反応空間４０は、基本的に略球形とし、一方の側面に前記発射板４２を設置し、該発射板４２の水液の注入側が導水部５に接続し、該反応空間４０は主に相対して設置された紫外線波を発射する紫外線発生器４１０を備え、該発射板４２が発生する霧が該反応空間４０を通過する時、該紫外光の照射を最大面積で接受した後、霧が霧出口４５から顔部に向けて発射され、該霧出口４５と紫外線発生器４１０の間にさらに阻光板４４を設け、眼部が直接該紫外光発生器４１０の光源による照射を受けるのを防ぎ、また、該反応空間４０は、一定容積の略球体を備えているため、通過する霧が部分的に凝集して水液を形成するが、溜まった水液は拭き取るか、排水装置４３を利用し、残存した水液を排出してもよく、該排水装置４３は、毛細繊維により導引する設計またはその他あらゆる吸水装置とすることができ、ここでは説明を省略する。
【実施例３】
【００３７】
図５に示すように、本考案の本体１は、双孔の設計としてもよく、単一の本体１に長方形の眼部カバー２を設置し、該眼部カバー２に２つの通孔２１を形成し、該通孔２１内部が発射板４２に相通し、該発射板４２と通孔２１間に反応空間４０を設けてもよく、該本体１の一側面に電源装置６及び着脱自在な水容器３を設置し、該水容器３は、大気圧力に対応するための圧力平衡バルブ３１を備え、さらに、別の一側面に指で自在に操作ができる位置に制御スイッチ１３を設け、左右両側にストラップ孔１４を設置し、あらゆる紐状のストラップを利用し、使用者の頭部に固定してもよい。そのうち、該電源装置６は、本考案の消費電力が極めて低いため、則可採用３VDCの電池を採用することができ、また、自宅での使用には市電を直流に変換するか、または、あらゆる手動発電の発電機を利用し、電源を得ることができる。該電源装置６が必要な電力を供給し、該眼部カバー２が長孔状であるため、顔部の曲線に対応でき、また、中央部に鼻梁に対応する凹部２２を形成し、装着後使用者の鼻梁の位置に合わせて開口しているため便利である。さらに、該眼部カバー２は曲げ性を備えた材質であるため、押圧力でその周縁と使用者の顔部表面を圧着させることができ、また、該水容器３はカセット式の組み立て方法を採用することができ、着脱自在に本体１に設置され、該着脱自在のカセット式の組立て設計は、一般的な嵌入機構であるため、ここでは説明を省略する。
【００３８】
図６に示すように、該水容器３は、分岐させて設けた2本の水路３０を介し、個別に水液を２つの導水部５に供給し、水液は該導水部５の毛細繊維を介しその端口５１表面に導引されて水膜を形成し、発射板４２の霧の発生源として用いられる。該発射板４２は、圧電セラミック振動素子４１の両側に相対し立てて設置され、該振動素子４１により同時に振動され、該振動素子４１両側の発射板４２が同時に導水部５の水液に対し霧発生の操作を行う。この霧発生操作は、該発射板４２が導水部５の端口５１に対面して接しており、振動後形成された水膜が、発射孔４２１を介し外側へ霧化されて発射される。そのうち、該２つの発射板４２の構造形態及び質量は相等であり、同等の形態の霧を発生することができる。この設計の霧発生装置４は、図４のように実施することができる。
【００３９】
さらに、異なる性質または形態の導水部５が形成する端口５１に対応し、該発射板４２に一定形態の水膜を提供するため、該端口５１と該発射板４２との間に、拡散片５１０を設置し、該拡散片５１０は同様に毛細繊維による導水機能を備え、該拡散片５１０を一定の形態及び質料とすることで、該発射板４２に面する界面に定量定形の水膜を形成し、発射板４２に提供することができ、その背面はあらゆる材料で形成された導水部５の端口５１に対応し、水液を導引して補給することができる。
【００４０】
図７に示すように、該水容器３と導水部５間は、挿入式としてもよく、該導水部５は、該水容器３の管口３２から内部へ向って進入し、外端部に端口５１を維持し、両者間は接合管３３により固定され、まず導水部５の外端部を該接合管３３に嵌置し、さらに、該水容器３の管口３２に接続される。該接合管３３は、導水部５と水容器３間の着脱操作を容易にし、該導水部５の挿入と抜き取り、及び防水の実施に便利であり、且つ、この挿入式の構造を利用し、該導水部５の交換及び洗浄における利便性も高く、該接合管３３の間接的使用により、導水部５と管口３２の防水密閉性を補助することができる。
【００４１】
図８に示すように、本考案が使用する振動素子４１と発射板４２間の組立ては、溶接またはあらゆる粘着接合方式とすることができ、その接合方式において、本考案は、発射板４２の交換を可能にするため、振動素子４１の対接面にクリップ７を形成し、該クリップ７がクリップ板７１により挟み込む形で該発射板４２を保持し、着脱自在に組み立てることができる。
【００４２】
この着脱自在な構造の目的は、使用者が該発射板４２を取り外して交換したり、洗浄したりする際の利便性を高めるためであり、例えば不均等な開孔形態の発射板（図９に示す）に交換するなどして利用することができる。
【００４３】
該発射板４２に開設する発射孔４２１は、前述の図６に示す方式のほか、さらに発射板４２の表面に線状を呈する線槽４２２を開設してもよく、該線槽４２２は曲線や直線、または折れ線とすることができ、該線槽の幅は、一般的な塵埃の粒径（該塵埃粒径の大きさの定義は目に傷害や影響を与える大きさとする）より小さく設計し、また、該線槽４２２の長さは、塵埃の粒径よりずっと長いものとし、このため、この線状の線槽４２２を利用することで、該発射板４２が詰まる確率を大幅に減少することができ、該線槽４２２に塵埃が１つ詰まったとしても、該線槽４２２の長さは該塵埃の粒径よりずっと長いため、該線槽４２２は詰まることなく、円滑な霧化を確保することができる。
【図面の簡単な説明】
【００４４】
【図１】本考案の実施例１の立体外観図である。
【図２】本考案の実施例２の側面透視図である。
【図３】本考案に円形の振動素子を利用した場合の透視図である。
【図４】本考案の反応空間の作用を示す透視図である。
【図５】本考案の実施例３の立体外観図である。
【図６】本考案の霧発生装置に２つの発射板と水容器を設置した場合の位置関係を示す立体分解図である。
【図７】本考案の接合管を用いた組立ての状態を示す側面図である。
【図８】本考案の振動素子にクリップで発射板を挟み組み立てた状態を示す上面図と部分拡大図である。
【図９】本考案の発射板に不均等な開孔を設けた状態を示す平面図である。
【符号の説明】
【００４５】
１      本体
１１    制御スイッチ
１２    収納槽
１３    制御スイッチ
１４    ストラップ孔
２      カバー体
２０    防塵蓋
２１    通孔
２２    凹部
３      水容器
３０    水路
３１    圧力平衡バルブ
３２    管口
３３    接合管
４      霧発生装置
４０    反応空間
４１    圧電セラミック振動素子
４１０  紫外線発生器
４２    発射板
４２０  振動素子
４２１  発射孔
４２２  線槽
４３    排水装置
４４    阻光板
４５    霧出口
５      導水部
５１    端口
５１０  拡散片
６      電源装置
７      クリップ
７１    クリップ板
８      水容器
【図１】
0003104861.tif 000003
【図２】
0003104861.tif 000004
【図３】
0003104861.tif 000005
【図４】
0003104861.tif 000006
【図５】
0003104861.tif 000007
【図６】
0003104861.tif 000008
【図７】
0003104861.tif 000009
【図８】
0003104861.tif 000010
【図９】
0003104861.tif 000011